(57)【要約】【課題】  本発明は、記録媒体を再生可能な記録媒体再生装置に関するものであり、特に記録媒体搬送時における記録媒体の傷つきを抑制できる記録媒体再生装置を提供することを目的とするものである。【解決手段】  本発明に係る記録媒体再生装置は、記録媒体を挟持して搬送するガイド部材および駆動ローラと、ガイド部材および駆動ローラによって搬送された記録媒体から情報を読み取る再生手段と、を有し、ガイド部材は、少なくとも記録媒体と接触する部分に、駆動ローラの回転方向と同じ第一の方向および該第一の方向とは異なる第二の方向に回転可能な回転部材が設けられる。【選択図】  図１
2010015615.tif 000002
【特許請求の範囲】
【請求項１】
記録媒体を挟持して搬送するガイド部材および駆動ローラと、
前記ガイド部材および前記駆動ローラによって搬送された前記記録媒体から情報を読み取る再生手段と、を有し、
前記ガイド部材は、少なくとも前記記録媒体と接触する部分に、前記駆動ローラの回転方向と同じ第一の方向および該第一の方向とは異なる第二の方向に回転可能な回転部材が設けられることを特徴とする記録媒体再生装置。
【請求項２】
記録媒体を挟持して搬送するガイド部材および駆動ローラと、
前記ガイド部材および前記駆動ローラによって搬送された前記記録媒体から情報を読み取る再生手段と、を有し、
前記ガイド部材は、少なくとも前記記録媒体と接触する部分に、全方位回転可能な回転部材が設けられることを特徴とする記録媒体再生装置。
【請求項３】
前記回転部材は、前記駆動ローラによる記録媒体の搬送面に対して平行に複数個設けられることを特徴とする請求項１または請求項２に記載の記録媒体再生装置。
【請求項４】
前記回転部材は、前記駆動ローラによる記録媒体の搬送方向の上流と下流に複数個設けられることを特徴とする請求項１から請求項３のいずれか１項に記載の記録媒体再生装置。
【請求項５】
前記回転部材は、球状の部材であることを特徴とする請求項１から請求項４のいずれか１項に記載の記録媒体再生装置。
【発明の詳細な説明】
【技術分野】
【０００１】
本発明は、記録媒体を再生可能な記録媒体再生装置に関するものである。
【背景技術】
【０００２】
図１２は、特許文献１  実開平２−１１５４０で開示されている１対のローラにより記録媒体を挟持して搬送動作を行うようにした従来の記録媒体再生装置（１）を示す要部正面略図である。
【０００３】
以上の特許文献１に開示された従来の記録媒体再生装置（１）は、記録媒体１０を、上下動できるローラ１１と移動できない駆動ローラ１２とによって挟持して搬送するように構成されている。
【０００４】
また、図１３は、特許文献２  特開２００２−３２９３５９に開示されているガイド部材と駆動ローラ１２とにより記録媒体を挟持して搬送動作を行うようにした従来の記録媒体再生装置（２）を示す要部正面略図である。
【０００５】
以上の特許文献２に開示された従来の記録媒体再生装置（２）は、記録媒体１０を、記録媒体搬送方向と直角方向にテーパー状（中央部が低く、左右側部方向に漸次高くなる状態）に形成されたガイド部材１３と駆動ローラ１２とによって挟持して搬送するように構成されている。
【特許文献１】実開平２−１１５４０号公報
【特許文献２】特開２００２−３２９３５９号公報
【発明の開示】
【発明が解決しようとする課題】
【０００６】
しかしながら、図１２に示すような従来の記録媒体再生装置（１）では、一対のローラは記録媒体搬送方向の直角方向には回転できない。そのため、例えば記録媒体が記録媒体挿入口の片側に寄せて挿入された場合、記録媒体をローラの形状によって記録媒体挿入口の中央に搬送するために記録媒体が記録媒体搬送方向の直角方向に移動することになり、ローラとの接触によって記録媒体の表面を傷つける可能性があった。
【０００７】
また、図１３示すような従来の記録媒体再生装置（２）では、ガイド部材またはリブは回転せず、ガイド部材またはリブと記録媒体とはすべり接触となっている。そのため、記録媒体を搬送する際に、ガイド部材またはリブとの接触によって記録媒体の表面を傷つける可能性があった。その上、記録媒体搬送時の駆動ローラの駆動力はガイド部材またはリブと記録媒体との摩擦係数に依存することから、特に車載用記録媒体再生装置では常温以外（高温、低温など）を想定して大きな駆動力を確保する必要があった。そのため、必要な記録媒体搬送時の駆動力が不足した場合は、記録媒体搬送停止等の機能不良となる可能性があった。また、駆動ローラやテーパー形状のリブは、大型であり、薄型化の妨げとなっていた。
【０００８】
また、近年の記録媒体再生装置の薄型化により、ガイド部材またはリブのテーパー形状の角度は大きくできない。そのため、ガイド部品またはリブが記録媒体の表面の大きな範囲に接触し、さらに記録媒体の表面を傷つけてしまう可能性があった。
【０００９】
また、ガイド部材またはリブがテーパー形状であるため、記録媒体の搬送位置によってガイド部材またはリブと記録媒体との接触箇所が異なり、記録媒体の面直（高さ）方向の位置が変動して搬送精度を低下させる要因となる可能性があった。
【００１０】
ここで、従来の記録媒体再生装置（３）における記録媒体の面直方向の位置が変動する状態について、図１４，１５を用いて説明する。図１４は記録媒体とテーパー形状のリブおよび駆動ローラとの接触状態を示す平面図であり、図１５は図１４のｎ矢視図である。尚、ここでは例として、記録媒体搬送動作のうち、記録媒体再生装置に記録媒体を挿入する場合について説明する。
【００１１】
記録媒体１０が挿入されると、リブ１５と駆動ローラ１２とによって狭持された記録媒体１０は記録媒体再生装置内における記録媒体１０から情報を読み取る再生手段１６の再生位置に向かって搬送される。
【００１２】
具体的には、記録媒体１０が挿入されると、図１４（ａ）に示すように、記録媒体１０は位置ｋで示すリブ１５の中央部分と駆動ローラ１２の中央部分とによって狭持される。記録媒体１０が図１４（ａ）よりさらに搬送されると、図１４（ｂ）に示すように、記録媒体１０は位置ｌで示すリブ１５の両端部分と駆動ローラ１２の両端部分によって挟持される。記録媒体１０が図１４（ｂ）よりさらに搬送されると、図１４（ｃ）に示すように、記録媒体１０は位置ｍで示すリブ１５の中央部分と駆動ローラ１２の中央部分とによって挟持される。
【００１３】
このように、記録媒体１０が記録媒体再生装置内における再生手段１６の再生位置に向かって搬送されるとき、図１３のガイド部材１３のように中央部と端部で高さが異なるため、記録媒体１０とリブ１５および駆動ローラ１２との接触箇所は記録媒体１０の搬送位置によって異なる。すなわち、図１５（ａ）〜（ｃ）に示すように、記録媒体１０とリブ１５との記録媒体１０の面直（高さ）方向における接触位置は「ｘ１→ｘ２→ｘ１」の順に記録媒体１０の搬送位置によって変動する。このように、記録媒体１０の面直（高さ）方向の位置は記録媒体１０の搬送位置によって変動するため、記録媒体１０の搬送精度の低下を招く可能性があった。
【００１４】
例えば、記録媒体の排出時に記録媒体が水平に搬送されず、記録媒体再生装置の前面部に設けられた挿入口に衝突し、記録媒体が排出不能となる可能性があった。さらに、記録媒体の面直（高さ）方向の変動に追従させるために、駆動ローラに記録媒体に対する十分なバイアス力を確保させる必要があった。
【００１５】
本発明は、以上のような従来の課題を解決するもので、特に記録媒体搬送時における記録媒体の傷つきを抑制できる記録媒体再生装置を提供することを目的とするものである。
【課題を解決するための手段】
【００１６】
記録媒体再生装置であって、記録媒体を挟持して搬送するガイド部材および駆動ローラと、前記ガイド部材および前記駆動ローラによって搬送された前記記録媒体から情報を読み取る再生手段と、を有し、前記ガイド部材は、少なくとも前記記録媒体と接触する部分に、前記駆動ローラの回転方向と同じ第一の方向および該第一の方向とは異なる第二の方向に回転可能な回転部材が設けられることを特徴とする。
【００１７】
また、記録媒体再生装置であって、記録媒体を挟持して搬送するガイド部材および駆動ローラと、前記ガイド部材および前記駆動ローラによって搬送された前記記録媒体から情報を読み取る再生手段と、を有し、前記ガイド部材は、少なくとも前記記録媒体と接触する部分に、全方位回転可能な回転部材が設けられることを特徴とする。
【００１８】
また、前記回転部材は、前記駆動ローラによる記録媒体の搬送面に対して平行に複数個設けられることを特徴とする。
【００１９】
また、前記回転部材は、前記駆動ローラによる記録媒体の搬送方向の上流と下流に複数個設けられることを特徴とする。
【００２０】
また、前記回転部材は、球状の部材であることを特徴とする。
【発明の効果】
【００２１】
以上のように、本発明に係る記録媒体再生装置は、ガイド部材には、少なくとも記録媒体と接触する部分に、駆動ローラと同じ回転方向である第一の方向および該第一の方向とは異なる第二の方向に回転可能な回転部材が設けられることにより、記録媒体の傷つきを抑制することができる。
【発明を実施するための最良の形態】
【００２２】
本発明の第１の実施例を図１〜図５を用いて説明する。
【００２３】
図１は本発明の第１の実施例に係る記録媒体再生装置の要部を示す斜視図、図２は本発明の第１の実施例に係る記録媒体再生装置のガイド部材を示す斜視図、図３は図２のＡ矢視図である。
【００２４】
１は記録媒体再生装置であり、筺体２内に記録媒体挿排口３から挿入される記録媒体４、例えば、コンパクトディスク（ＣＤ：Ｃｏｍｐａｃｔ  Ｄｉｓｃ）、デジタルヴァーサタイルディスク（ＤＶＤ：Ｄｉｇｉｔａｌ  Ｖｅｒｓａｔｉｌｅ  Ｄｉｓｃ）、ブルーレイディスク（ＢＤ：Ｂｌｕ−ｒａｙ  Ｄｉｓｃ）などの記憶媒体を挟持するガイド部材５と駆動ローラ６とが設けられている。なお、記録媒体は円盤形状のものに限らず、ガイド部材５と駆動ローラ６で搬送可能であればよく、円盤以外の形状でもよいことは言うまでもない。
【００２５】
駆動ローラ６は中央部が径小に形成されるとともに、両側部方向に漸次径大のテーパー形状に形成され、ローラギア７に軸支されている。駆動ローラ６はローラギア７とこれを駆動するモータ（図示せず）によって記録媒体４の挿入方向または排出方向に回転する。
【００２６】
また、ガイド部材５には少なくとも記録媒体４と接触する部分に、駆動ローラ６の回転方向と同じ第一の方向（図１に示す矢印ｗの方向）および第一の方向とは異なる第二の方向（図１に示す矢印ｘの方向）に回転可能な回転部材８が設けられている。尚、第二の方向は、第一の方向と異なる方向であればよく、例えば、駆動ローラ６による記録媒体４の搬送方向（図１に示す矢印ｙの方向）に対して斜め前方となる方向（図１に示す矢印ｚの方向）であってもよい。また、回転部材８は駆動ローラ６による記録媒体４の搬送面に対して平行に複数個設けられており、さらには駆動ローラ６による記録媒体４の搬送方向（図１に示す矢印ｙの方向）の上流と下流に複数個設けられている。この構成により、記録媒体４を、安定した状態で狭持することができる。尚、回転部材８はガイド部材５に対して全方位に回転可能な部材であってもよく、例えば球状のボールベアリングのような構造が好適である。球状のボールベアリングのような構造にすることで、さらに記録媒体４の傷つきを抑制することができる。
【００２７】
この回転部材８はガイド部材５にインサート形成（埋設形成）されることによってガイド部材５と一体となり、記録媒体４と転がり接触できるようにガイド部材５の表面からその一部が突出するように構成されている。ガイド部材５は板形状であり、回転部材８のインサート形成を容易に行うために、例えば樹脂材で形成されている。
【００２８】
このように、第１の実施例に係る記録媒体再生装置は、駆動ローラ６の回転方向と同じ第一の方向および第一の方向とは異なる第二の方向に回転可能な回転部材８と記録媒体４とが転がり接触する構成であるため、従来の記録媒体再生装置と比較して記録媒体の傷つきを抑制することができる。また、ガイド部材５の回転部材８として、従来の記録媒体再生装置（１）のローラや、従来の記録媒体再生装置（２）のテーパー形状のガイド部材の厚さより小径の球を使用することで、従来の記録媒体再生装置と比較して小型化または薄型化を図ることができる。尚、現在製造されているボールベアリングの直径は２ミリメートルのものがあり、ガイド部材の強度向上のために、ガイド部材を２．０ミリメートル厚くしたとしても、ガイド部材の厚さとボールベアリングの厚さは２．８ミリメートルとなる。これは、従来技術のテーパー形状のリブとガイド部材の厚さが２．９２ミリメールであることから、本発明の実施形態は小型化されている。
【００２９】
次に、以上のように構成された記録媒体再生装置の記録媒体搬送動作における記録媒体と回転部材および駆動ローラとの接触状態について、図４，５を用いて説明する。図４は本発明の第１の実施例に係る記録媒体再生装置の記録媒体と回転部材および駆動ローラとの接触状態を示す平面図であり、図５は図４のＢ矢視図である。尚、ここでは例として、記録媒体搬送動作のうち、記録媒体再生装置に記録媒体を挿入する場合について説明する。
【００３０】
記録媒体４が記録媒体挿排口３から挿入されると、記録媒体４の挿入を検出する検出スイッチ（図示せず）が動作することによって、モータ（図示せず）が回転する。
【００３１】
前述したように、モータの回転によってローラギア７が駆動され、回転部材８と駆動ローラ６とによって狭持された記録媒体４は記録媒体再生装置１の筺体２内の再生位置に向かって搬送される。その後、回転部材８および駆動ローラ６によって記録媒体再生装置１の筐体２内に搬送された記録媒体４を再生手段１６によって再生する。
【００３２】
具体的には、記録媒体４が記録媒体挿排口３から挿入されると、図４（ａ）に示すように、記録媒体４は矢印ａが示す回転部材８と駆動ローラ６の中央部分とによって狭持される。記録媒体４が図４（ａ）よりさらに再生位置に向かって搬送されると、図４（ｂ）に示すように、記録媒体４は矢印ｂが示す回転部材８と駆動ローラ６の両端部分とによって挟持される。記録媒体４が図４（ｂ）よりさらに再生位置に向かって搬送されると、図４（ｃ）に示すように、記録媒体４は矢印ｃが示す回転部材８と駆動ローラ６の中央部分とによって挟持される。
【００３３】
このように、記録媒体４が記録媒体再生装置１の筺体２内の再生位置に向かって搬送されるとき、記録媒体４と回転部材８および駆動ローラ６との接触箇所は記録媒体４の搬送位置によって異なることとなる。しかしながら、図５（ａ）〜（ｃ）に示すように、記録媒体４と回転部材８との記録媒体４の面直（高さ）方向における接触位置は「ｙ１→ｙ１→ｙ１」の順に記録媒体４の搬送位置によって変動しない。すなわち、記録媒体４の面直方向の位置は記録媒体４の搬送位置によって変動せず、従来の記録媒体再生装置と比較して記録媒体４の搬送精度の低下を抑制できる。
【００３４】
尚、以上のように、第１の実施例では回転部材８はガイド部材５にインサート形成（埋設形成）される場合で説明したが、これらに限定されるものではない。すなわち、第２の実施例として、図６（ａ）〜（ｃ）に示すように、回転部材８を支持するためのスペーサ９を別途設け、回転部材８はスペーサ９にインサート形成（埋設形成）されるようにし、その後、スペーサ９をガイド部材５に設けたスペーサ孔１０に嵌め込むようにしてもよい。これにより、ガイド部材５を樹脂材ではなく鋼板等で形成することができ、ガイド部材５の強度を確保して記録媒体４の搬送精度を向上させることができる。
【００３５】
また、以上のように、第１の実施例では回転部材８は駆動ローラ６による記録媒体４の搬送面に対して平行に複数個設けられ、さらには駆動ローラ６による記録媒体４の搬送方向の上流と下流に設けられるようにしたが、これらに限定されるものではない。すなわち、第３の実施例として、図７〜図１１に示すように、ガイド部材５における回転部材８の配置や数を変更してもよい。
【００３６】
具体的には、図７に示すように、第３の実施例（１）として、回転部材８を駆動ローラ６による記録媒体４の搬送方向の上流と下流に千鳥状となるように交互に配置してもよい。また、図８（ａ）〜（ｃ）に示すように、第３の実施例（２）として、回転部材８を駆動ローラ６による記録媒体４の搬送面に対して平行に１列だけ設けるようにしてもよい。また、図９（ａ）〜（ｃ）に示すように、第３の実施例（３）として、回転部材８を記録媒体４の挿入方向（図９に示す矢印ｙの方向）に対して平行となる方向に設けるようにしてもよい。また、図１０（ａ），（ｂ）に示すように、第３の実施例（４）として、回転部材８を記録媒体４の挿入方向（図１０に示す矢印ｙの方向）に対して斜めとなる方向に設けるようにしてもよい。また、図１１（ａ）〜（ｃ）に示すように、第３の実施例（５）として、回転部材８を記録媒体４の円形状に沿って曲線上に設けるようにしてもよい。
【図面の簡単な説明】
【００３７】
【図１】本発明の第１の実施例に係る記録媒体再生装置の要部を示す斜視図
【図２】本発明の第１の実施例に係る記録媒体再生装置のガイド部材を示す斜視図
【図３】図２のＡ矢視図
【図４】本発明の第１の実施例に係る記録媒体再生装置の記録媒体と回転部材および駆動ローラとの接触状態を示す平面図
【図５】図４のＢ矢視図
【図６】本発明の第２の実施例に係る記録媒体再生装置のガイド部材と回転部材とを示す図
【図７】本発明の第３の実施例（１）に係る記録媒体再生装置のガイド部材と回転部材とを示す図
【図８】本発明の第３の実施例（２）に係る記録媒体再生装置のガイド部材と回転部材とを示す図
【図９】本発明の第３の実施例（３）に係る記録媒体再生装置のガイド部材と回転部材とを示す図
【図１０】本発明の第３の実施例（４）に係る記録媒体再生装置のガイド部材と回転部材とを示す図
【図１１】本発明の第３の実施例（５）に係る記録媒体再生装置のガイド部材と回転部材とを示す図
【図１２】従来の記録媒体再生装置（１）を示す要部正面略図
【図１３】従来の記録媒体再生装置（２）を示す要部正面略図
【図１４】従来の記録媒体再生装置（２）の記録媒体とテーパー形状のリブおよび駆動ローラとの接触状態を示す平面図
【図１５】図１４のｎ矢視図
【符号の説明】
【００３８】
１  記録媒体再生装置
２  筺体
３  記録媒体挿排口
４  記録媒体
５  ガイド部材
６  駆動ローラ
７  ローラギア
８  回転部材
９  スペーサ
１０  スペーサ孔
【図１】
2010015615.tif 000003
【図２】
2010015615.tif 000004
【図３】
2010015615.tif 000005
【図４】
2010015615.tif 000006
【図５】
2010015615.tif 000007
【図６】
2010015615.tif 000008
【図７】
2010015615.tif 000009
【図８】
2010015615.tif 000010
【図９】
2010015615.tif 000011
【図１０】
2010015615.tif 000012
【図１１】
2010015615.tif 000013
【図１２】
2010015615.tif 000014
【図１３】
2010015615.tif 000015
【図１４】
2010015615.tif 000016
【図１５】
2010015615.tif 000017